(57)【要約】 【課題】  インサート保持部材が型枠に設けられた取付部材から外れ難く、取付部材に挿装された状態でのがたつきを抑えることができるインサートホルダーを提供することを目的としている。【解決手段】  型枠Ｐに設けられた筒状の取付部材４と、取付部材４内に挿装される保持部８が形成されたインサート保持部材５とが備えられているインサートホルダー３において、保持部８には、保持部８の先端から軸方向に延在するスリット１４が形成され、保持部８の先端には、取付部材４に係止される係止部１３が形成されている。【選択図】      図１
2005297316.tif 000002
【特許請求の範囲】
【請求項１】
型枠に設けられた筒状の取付部材と、該取付部材内に挿装される保持部が形成されたインサート保持部材とが備えられているインサートホルダーにおいて、
前記保持部には、該保持部の先端から軸方向に延在するスリットが形成され、前記保持部の先端には、前記取付部材に係止される係止部が形成されていることを特徴とするインサートホルダー。
【発明の詳細な説明】
【技術分野】
【０００１】
本発明は、例えば、コンクリート製セグメント内に埋設されるインサートを保持するインサートホルダーに関する。
【背景技術】
【０００２】
セグメント内側面に二次覆工としてライニング等が取り付けられる場合、セグメントの内側面には、ライニングを取り付けるためのインサートを設ける必要がある。コンクリート製のセグメントにインサートを設けるには、セグメントのコンクリートを打設する際に予め型枠内にインサートを配置しておき、インサートがセットされた状態でコンクリート打設を行い、セグメント内にインサートを埋設させる。このとき、インサートを型枠内の一定位置に保持するインサートホルダーが用いられる。
【０００３】
インサートホルダーには、型枠に設けられた筒状の取付部材と、取付部材に取り付けられるとともにインサートが仮装着されるインサート保持部材とが備えられている。インサート保持部材は、一端にインサートに螺合されるネジ部が形成され、他端に取付部材の挿入孔に挿装される円柱形の保持部が形成されている。従来、保持部の先端には、側方に突出する一対の係止部が形成されており、取付部材の挿入孔内周面には軸方向に延在する一対の溝部が形成されている。保持部を取付部材内に挿装させる際、保持部先端の係止部が溝部内に嵌入するように保持部を取付部材内に挿入し、保持部の先端が取付部材内を貫通して係止部が突出された時点で保持部を軸回転させる。これによって、係止部は取付部材端面に係止され、取付部材に取り付けられたインサート保持部材の引き抜け防止を図ることができる（例えば、特許文献１参照。）。
【特許文献１】特開２０００−８４９１３号公報
【発明の開示】
【発明が解決しようとする課題】
【０００４】
しかしながら、上記した従来のインサートホルダーでは、インサート保持部材は保持部を軸回転させて係止部を溝部位置からずらすことで取付部材に係止しているため、何かの衝撃でインサート保持部材が回転し、係止部が溝部位置まで移動した場合、インサート保持部材が取付部材から外れる虞があるという問題が存在する。また、保持部を取付部材内に押し込んだ後に取付部材の挿入孔内で保持部を軸回転させるため、取付部材の挿入孔内周面と保持部の外周面との間には回転させるための隙間が必要であり、取付部材に挿装されたインサート保持部材のがたつきが大きいという問題が存在する。
【０００５】
本発明は、上記した従来の問題が考慮されたものであり、インサート保持部材が型枠に設けられた取付部材から外れ難く、取付部材に挿装された状態でのがたつきを抑えることができるインサートホルダーを提供することを目的としている。
【課題を解決するための手段】
【０００６】
請求項１記載の発明は、型枠に設けられた筒状の取付部材と、該取付部材内に挿装される保持部が形成されたインサート保持部材とが備えられているインサートホルダーにおいて、前記保持部には、該保持部の先端から軸方向に延在するスリットが形成され、前記保持部の先端には、前記取付部材に係止される係止部が形成されていることを特徴としている。
【０００７】
このような特徴により、筒状の取付部材内に保持部を挿入するとき、保持部先端の係止部が取付部材の内周面上を摺動しつつ、スリットが形成された保持部は内側に窄まり、係止部が取付部材を貫通したとき、スリットが形成された保持部は外側に広がり、係止部が取付部材に係止される。
【発明の効果】
【０００８】
本発明に係るインサートホルダーによれば、型枠に設けられた筒状の取付部材内に挿装される保持部には、先端から軸方向に延在するスリットが形成され、保持部の先端には、取付部材に係止される係止部が設けられており、保持部を挿入するとき、スリットが形成された保持部は内側に窄まり、係止部が取付部材を貫通したとき、スリットが形成された保持部は外側に広がって係止部が取付部材に係止されるため、一旦取付部材に挿装された保持部は抜け難く、インサート保持部材が回転したとしても取付部材から外れることはない。また、スリットが形成された保持部が外側に広がった状態で取付部材に挿装されるため、スリットが形成された保持部が取付部材の内周面を押圧し、取付部材に挿装されたインサート保持部材のがたつきを抑えることができる。
【発明を実施するための最良の形態】
【０００９】
以下、本発明に係るインサートホルダーの実施の形態について、図面に基いて説明する。
【００１０】
図１は、インサートホルダーを用いたインサート取付構造を表す断面図である。図１において、符号Ｐはセグメント用型枠であり、コンクリート製のセグメントＳの内側面を形成する型枠である。この型枠Ｐには、インサート２をセグメントＳ内に埋設させるためのインサート取付構造１が形成されており、インサート取付構造１は、インサート２と、型枠Ｐ内の所定位置にインサート２を保持するインサートホルダー３とから構成されている。インサートホルダー３は、型枠Ｐに設けられた取付部材４と、取付部材４内に取り付けられるとともにインサート２に螺合され、インサート２を保持するインサート保持部材５とから構成されている。
【００１１】
インサート２の一端面は、セグメントＳの内側面と面一に形成されており、インサート２の内部には、セグメントＳの内側に開放されて二次覆工のライニング等が取り付けられる雌ネジ孔２ａが形成されている。また、インサート２の他端にはコンクリート製のセグメントＳ内に定着する定着部２ｂが形成されている。取付部材４は、型枠Ｐに形成された貫通孔１ａに嵌合されており、溶接等によって型枠Ｐに固定されている。取付部材４は、円筒状に形成されており、その中心には軸方向に延在する挿通孔６が形成されている。セグメントＳ内側面に対向する挿通孔６の入口部６ａは外側（セグメントＳ側）に向かって広げられており、入口部６ａの角は丸みを帯びて滑らかに形成されている。
【００１２】
図２はインサート保持部材５の断面図であり、図３は図１における下側からインサート保持部材５をみた投影図である。図１，図２，図３に示すように、インサート保持部材５は、樹脂から成形された筒状の成形品であり、外周にねじ山が切られてインサート２の雌ネジ孔２ａに螺合される雄ネジ部７と、取付部材４の挿通孔６に挿装される保持部８とから構成されている。雄ネジ部７の孔９は、断面形状が六角形に形成されており、図示せぬ六角レンジ等が嵌入される。なお、この孔９の断面形状は、工具を嵌合させて雄ネジ部７を回転させることができる形状であれば、六角形に限らず四角形等でもよい。また、雄ネジ部７の孔９内には、インサート２の雌ネジ孔２ａ内への塵や水の浸入を防ぐ遮蔽板１０が形成されている。雄ネジ部７の基端部（保持部８側の端部）には、インサート２と取付部材４との間に介在される円状の鍔部１１が張設されている。
【００１３】
保持部８は円柱形の孔１６が形成された円筒形のものであり、保持部８中間部の外径Ｄ０は取付部材４の挿通孔６の内径Ｄ１と略同程度に形成されており、保持部８が挿通孔６内に挿通されたときのクリアランスは０．１ｍｍ〜０．２ｍｍ程度である。保持部８の先端部には、先端に向かってテーパー状に広がる拡径部１２が形成されており、拡径部１２の先端の径Ｄ２は、保持部８中間部の径Ｄ０よりも大きい。また、保持部８（拡径部１２）の先端には、取付部材４の端面に係止される鍔状の係止部１３が形成されている。係止部１３は、保持部８の外周面から側方に張り出されており、係止部１３の基端の径Ｄ３は、挿通孔６の内径Ｄ１や拡径部１２先端の径Ｄ２よりも大きい。また、係止部１３は、先端に向かってテーパー状に窄まる形状に形成されており、係止部１３の先端の径Ｄ４は、保持部８中間部の径Ｄ０よりも若干小さい。
【００１４】
また、保持部８には、保持部８（係止部１３）の先端から拡径部１２の基端にかけて軸方向に延在する一対のスリット１４が形成されている。一対のスリット１４は、互いに対向する位置に形成されており、保持部８の先端は２つに分割されている。
【００１５】
保持部８の基端（雄ネジ部７側の端部）には、周方向へわたって切り込み部１５が形成されており、端部外周面が内側に窄まっている。切り込み部１５は、保持部８中間部よりも肉厚が薄く形成されており、適度な力で破断するように形成されている。切り込み部１５の肉厚は、０．５ｍｍ〜１．０ｍｍ程度であり、０．８ｍｍが好ましい。
【００１６】
次に、上記した構成からなるインサートホルダー３の使用方法について説明する。
【００１７】
まず、型枠Ｐに予め形成された貫通孔１ａに取付部材４を嵌合させる。このとき、取付部材４と型枠Ｐとは溶接等によって強固に固定する。一方、インサート２の雌ネジ孔２ａにインサート保持部材５の雄ネジ部７を螺合させて、インサート保持部材５にインサート２を取り付ける。このとき、鍔部１１がセグメントＳの内側面と面一になるインサート２の一端面に当接するところまで雄ネジ部７を螺合させる。
【００１８】
次に、インサート２が螺合されたインサート保持部材５を取付部材４に取り付ける。具体的には、まず、保持部８を取付部材４の挿通孔６内に入口部６ａから挿入し、そのまま係止部１３が挿通孔６から出るところまで軸方向に押し込む。このとき、広げられた入口部６ａの位置に径の小さい係止部１３の先端を合わせ、丸く滑らかに形成された入口部６ａの角上にテーパー状の係止部１３の外周面が摺動する。また、係止部１３が挿通孔６の内周面に押圧されて、拡径部１２および係止部１３が形成された保持部８の先端は窄まる。また、係止部１３が挿通孔６から出ると、窄まっていた保持部８の先端は弾性により元の状態に戻り、挿通孔６よりも広がる。以上で、インサート２は、型枠Ｐ内の所定位置に保持される。なお、コンクリート打設後に型枠Ｓの脱型を行うと、切り込み部１５のところで破断し、保持部８と雄ネジ部７とが分離する。そして、インサート２内に残った雄ネジ部７は、孔９に六角レンジ等を嵌入して撤去する。
【００１９】
上記した構成からなるインサートホルダー３によれば、保持部を挿入するとき、スリット１４が形成された保持部８の先端は内側に窄まり、係止部１３が取付部材４を貫通したとき、保持部８の先端は外側に広がって係止部１３が取付部材４に係止されるため、一旦取付部材４に挿装された保持部８は抜け難く、インサート保持部材５が回転したとしても取付部材４から外れることはない。また、スリット１４が形成された保持部８（拡幅部１２）が外側に広がった状態で取付部材４に挿装され、拡幅部１２が挿通孔６の内周面を押圧するため、取付部材４に挿装されたインサート保持部材５のがたつきを抑えることができる。
【００２０】
以上、本発明に係るインサートホルダーの実施の形態について説明したが、本発明は上記した実施の形態に限定されるものではなく、その趣旨を逸脱しない範囲で適宜変更可能である。例えば、上記した実施の形態では、インサートホルダー３を用いてインサート２を保持してセグメントＳ内にインサート２を埋設しているが、本発明は、セグメントＳに限らず、コンクリート製床版やその他のコンクリート部材などにインサートを埋設する場合に用いてもよい。
【００２１】
また、上記した実施の形態では、保持部８の先端から拡径部１２の基端にかけて軸方向に延在する一対のスリット１４が形成されており、保持部８の先端が２つに分割されているが、本発明は、スリットを３本形成して保持部の先端を３分割にしてもよく、スリットの数に限定されるものではない。また、スリットの長さは適宜変更可能であり、係止部のところだけでも良く、保持部全長にわたって形成してもよい。
【００２２】
また、上記した実施の形態では、保持部８は筒状に形成されており、内部が中空に形成されているが、本発明は、保持部の内部が中実に形成されてもよい。これによって、保持部は破損し難くなる。
【図面の簡単な説明】
【００２３】
【図１】本発明に係るインサートホルダーの実施の形態を説明するための全体図である。
【図２】本発明に係るインサートホルダーの実施の形態を説明するためのインサート保持部材の断面図である。
【図３】本発明に係るインサートホルダーの実施の形態を説明するためのインサート保持部材の投影図である。
【符号の説明】
【００２４】
３  インサートホルダー
４  取付部材
５  インサート保持部材
８  保持部
１３  係止部
１４  スリット
Ｐ  型枠
【図１】
2005297316.tif 000003
【図２】
2005297316.tif 000004
【図３】
2005297316.tif 000005